(57)【特許請求の範囲】
【請求項１】
スノーボード上に固定的に取り付け可能であって、シューズのための載置面を形成しており、長手軸に対してほぼ平行なスリット（２１）が貫通しており、前記スリット（２１）端縁に複数の横スリット形状の切欠き（２２）が形成されているベースプレート（２）、
シューズのヒールを把持し、様々なシューズの大きさに合わせて調節可能であって、脹ら脛サポート（５）を取り付けることのできる、ヒールクランプ（４）、および
ベースプレート（２）に係止又は固定される、シューズを上で把持するベルト状の固定部材（１９）、
を有する、特に柔らかい、あるいは可撓性のシューズないしソフトシューズに適した、スノーボードビンディングにおいて、
ヒールクランプ（４）が、ベースプレート（２）を下で把持するソールプレート（３）に配置されており、前記ソールプレートがベースプレートに対してその長手方向に変位可能であり、かつベースプレートを介して間接的に、ベースプレートとの摩擦結合または相補形状結合によってスノーボードに固定可能であり、
つま先領域のためのベルト状の前記固定部材（１９）が、ベースプレート（２）の下側に、ループ状の終端部分（２０）によって係止又は固定されており、
前記ループ状の終端部分（２０）が前記スリット（２１）を通過してベースプレート２の下側から上側へ案内されており、
前記ループ状の終端部分（２０）は、前記スリット（２１）に形成されている複数の前記切欠き（２２）のいずれかへ挿入されて係止されることにより、前記固定部材（１９）の位置をスノーボードビンディングの長手方向に変位させることが可能であることを特徴とするスノーボードビンディング。
【請求項２】
ベースプレート（２）の、その下側に配置されているリングウェブが、ソールプレート（３）の楕円状ないし細長い開口部（９）内へ嵌入し、その場合にこの開口部の長手方向の延びが、リングウェブの外径よりも大きく、かつ開口部の横寸法がリングウェブの外径に相当することを特徴とする請求項１に記載のスノーボードビンディング。
【請求項３】
ベースプレート（２）の下側に、リブによって形成されるワッフルプロフィールが配置されており、前記ワッフルプロフィールがソールプレート（３）の上側に設けられた同様なワッフルプロフィール（１０）と協働し、その場合にそれらワッフルプロフィールが互いに係合した場合に、ソールプレート（３）がベースプレート（２）に対して相補形状結合により横方向と長手方向の少なくとも一方に固定されていることを特徴とする請求項１または２に記載のスノーボードビンディング。
【請求項４】
ヒールクランプ（４）に垂直に支持された、あるいは支持可能な脹ら脛サポート（５）を備えており、
前記脹ら脛サポート（５）は、ベースプレートとソールプレート（２、３）の目標位置または組立て位置において、脹ら脛サポート（５）と共にＵ字状のプロフィールを形成する２つの張出し（１３）によって、ヒールクランプ（４）の側方部分の内側とベースプレート（２）の長手端縁または長手側壁（８）との間の２つのスリット内へ突出し、かつ前記張出しに配置されている２つの突出部（１４）によって、ヒールクランプまたはベースプレートの側方部分に設けられた、ベースプレートに対してほぼ平行な端縁を下方で把持することを特徴とする請求項１に記載のスノーボードビンディング。
【請求項５】
脹ら脛サポート（５）が、ヒールクランプ（４）のヒール側の中央領域に垂直と側方の少なくとも一方に変位可能または移動可能に支持されていることを特徴とする請求項４に記載のスノーボードビンディング。
【請求項６】
ヒールクランプ（４）の中央部分の、脹ら脛サポート（５）へ向いた側に、水平のリブ（１５）が配置されており、前記リブが脹ら脛サポート（５）の外側に設けられた同様のリブと協働することを特徴とする請求項４または５に記載のスノーボードビンディング。
【発明の詳細な説明】
【技術分野】
【０００１】
本発明は、特に柔らかい、ないしは可撓性のシューズ、ないしソフトシューズに適した、スノーボードビンディングに関するものであって、次のものを有している：
スノーボード上に固定的に取付け可能な、シューズのための載置面を形成するベースプレート、
シューズの踵を把持し、様々なシューズ大きさに合わせて調節可能で、脹ら脛サポートを取り付けることのできる、ヒールクランプ、および
ベースプレートおよび／または脹ら脛サポートに設けられる、シューズを上で把持するベルト状またはクランプ状の前と後ろの固定部材。
【背景技術】
【０００２】
この種のスノーボードビンディングは、ＤＥ２９７００６３１Ｕ１に示されている。そこに記載されているスノーボードビンディングにおいては、ベースプレートの保持は円形の締付けディスクを用いて行われ、その締付けディスクはベースプレートの円形の開口部内へ挿入可能であって、その上側のフランジ状の端縁が円形開口部の周面に重なる。締付けディスクがスノーボードと螺合され、あるいは他の方法で固定された場合に、ベースプレートはスノーボードの上側と締付けディスクのフランジ状の端縁との間に挟持される。その他、ベースプレートの円形の開口部の端縁は、前歯切りを有しており、それが締付けディスクのフランジ状の端縁に設けられた、対応する前歯切りと協働するので、ベースプレートは締付けディスクによってスノーボードに相補形状かつ摩擦により固定することができる。スノーボードにおける締付けディスクの固定が緩められ、それによって締付けディスクが所定の垂直の遊びを得た場合に、前歯切りの噛合を外すことができるので、ベースプレートが締付けディスクに対して回転され、その後変更された回転位置において締付けディスクによって再びスノーボードに固定される。
【０００３】
ヒールクランプは、シューズを側方で把持する張出しを有しており、その張出しのアングルプロフィール状の終端部分がそれぞれベースプレートに設けられた該当するスリットガイド内で摺動可能に案内され、かつピンなどによって様々な位置に固定可能である。それによってヒールクランプの、ヒールを後方で把持する中央領域が締付けディスクの中心から様々な距離に調節される。従ってそれぞれビンディング内へ挿入されるシューズの大きさに関係なく、脛骨の軸線が所望の目標位置においてベースプレートないし締付けディスクを貫通する。
【０００４】
ヒールクランプには、脹ら脛サポートが様々な垂直位置において取り付けられる。場合によっては、脹ら脛サポートを、特に脹ら脛サポートを保持するヒールクランプの張出しが様々な位置においてベースプレートに固定されることによって、側方へ変位させることもでき、すなわちベースプレートにおいて一方の張出しが他方の張出しよりもずっと後方に固定される。
【０００５】
ビンディング内にシューズを保持するために用いられるベルトなどは、ベースプレートの側方の垂直ウェブないしヒールクランプに配置された、穴に固定することができる。
【発明の開示】
【発明が解決しようとする課題】
【０００６】
本発明の課題は、同様な、あるいはさらに大きい可変性において、極めて高い負荷耐性と小さい製造コストを有する、スノーボードビンディングを提供することである。
【課題を解決するための手段】
【０００７】
この課題は、本発明によれば、ヒールクランプがベースプレートを下で把持するソールプレートに配置されており、そのソールプレートがベースプレートに対して長手方向に変位可能かつベースプレートを介して間接的に、ベースプレートとの摩擦結合および／または相補形状結合によってスノーボードに固定可能であることによって、解決される。
【０００８】
本発明は、ビンディング内部のシューズの載置面を大きさ可変に形成し、そのためにベースプレートとソールプレートに分割された載置面を設ける、という一般的な考えに基づいている。
【０００９】
それによって一方で、足の小さい人は足の大きい人よりも常に身長が小さく、それに応じて、比較的小さい載置面のためのスペースしか提供しない、より小さいスノーボードを使用することが考慮される。
【００１０】
同時に、本発明に基づく構造は、ヒールクランプを対応づけられたソールプレートと一体的に結合し、ないしは形成することができ、ないしはソールプレートによって本質的に強化する、という利点を提供する。従ってヒールクランプは、高い負荷をかけることができるが、同時にベースプレートに対してソールプレートを異なるように固定することにより、スノーボードにおけるその位置がそれぞれのシューズの大きさに合わせて調節される。
【００１１】
自立した保護が請求される、特に好ましい実施形態によれば、脹ら脛サポートはベースプレートとソールプレートの目標位置ないし組立て位置において、脹ら脛サポートと共にＵ字状のプロフィールを形成する２つの張出しによって、ヒールクランプの側方部分の内側とベースプレートの長手端縁または長手側壁との間の２つのスリット内へ突出し、かつ張出しに配置されている２つの突出部によって、ヒールクランプの側方部分またはベースプレートの長手端縁に設けられた、ベースプレートに対してほぼ平行な端縁を下で把持する。特に、突出部は、ボルトとして形成することができ、そのボルトがヒールクランプの側方部分に形成された細長いスリット凹部内へ嵌入する。
【００１２】
その他、自立した保護が請求される、実施形態に基づく脹ら脛サポートは、ヒールクランプのヒール側の中央領域に垂直に変位可能かつ側方へ移動できるように支持することができる。
【００１３】
側方へ移動できることに基づいて、脹ら脛サポートは足の側方移動に追従することができる。その場合に脹ら脛サポートの張出しは、ヒールクランプの側方部分とベースプレートの長手端縁または長手側壁との間の対応づけられたスリット内で互いに逆となる方向へ移動する。脹ら脛サポートがヒールクランプにおいて垂直に変位された場合に、脹ら脛サポートの傾斜が変化するので、足は所望の前傾で、場合によっては後傾でも、支持される。
【００１４】
この構造において、好ましくは、脹ら脛サポートは比較的高い負荷をかけることのできる部分に支持される。その他、直接脹ら脛サポートにおいて所望の変位を実施することができる。冒頭で示された従来技術とは異なり、脹ら脛サポートを調節するためにヒールクランプの変位は必要とされず、あるいは不可能である。従って全体として、容易に調節可能かつ理解できる機能が得られる。
【００１５】
同様に自立した保護が請求される、特に好ましい実施形態においては、シューズのつま先領域のためのベルトまたはクランプは、ベースプレートの下側においてループによって固定され、そのループはベースプレートに形成された、ベースプレートの長手軸に対してほぼ平行なスリットを貫通し、かつベルトないしクランプに結合され、ないしは結合することができる。その場合にループのひもはシューズ側のスリット端縁において様々な凹部内へ挿入することができるので、ベルトないしクランプはシューズ長手方向にベースプレートにおいてずっと前方または後方に固定される。
【００１６】
スリットは、好ましくはベースプレートの垂直の端縁ウェブのシューズ側に配置されている。これは、ベルトないしクランプがシューズの側方にも良好に添接できる、という利点を有している。その他、ベルトないしクランプの係止は、良好に保護されて配置されている。
【００１７】
シューズの締付け領域を包囲するベルトまたはクランプを保持するために、ヒールクランプの側方部分に配置された、フレキシブルなループを設けることができ、そのループはベルトないしクランプの締付けの元で、ヒールクランプの側方部分へ向かって開放したＶ字の形状をとることができる。ベルトないしクランプがループに摺動可能に配置され、ないしは様々な位置に懸下できることによって、Ｖ字脚の長さ比が変化し、その場合にベルトないしクランプの係止点がシューズ長手方向に変位される。
【００１８】
従ってシューズに対するベルトまたはクランプの、容易に理解できる変位を達成することができる。
【００１９】
その他、本発明の好ましい特徴に関して請求項および図面についての以下の説明を参照するよう指示し、その図面を用いて本発明の特に好ましい実施形態を詳細に説明する。もちろん、保護は、はっきりと挙げられ、あるいは説明または図示されている特徴の組合わせについてだけでなく、原理的に任意の下位の組合わせについても請求される。
【発明を実施するための最良の形態】
【００２０】
図１と図２によれば、本発明に基づくスノーボードビンディングは、大体において、円形の締付けディスク１、ベースプレート２、一体的に形成されたヒールクランプ４を備えたソールプレート３および脹ら脛サポート５からなる。
【００２１】
締付けディスク１は、スノーボード側のねじ部分へ螺合可能な、図示されていないボルトによって、図示されていないスノーボードの上側に固定される。上述したスノーボード側のねじ部分に対して様々な位置に固定することを可能にするために、締付けディスク１にはホールパターンが配置されており、そのホールパターンは図示の例においては、長穴状に互いに移行する穴を有する４列の穴からなる。
【００２２】
締付けディスク１のフランジ状の端縁は、その下側に前歯切りを有しており、その前歯切りはビンディングが取り付けられた状態において、ベースプレート２の円形開口部７のフランジ状の端縁６の対応する上側の前歯切り内へ噛合し、その場合に円形開口部７の垂直の端縁領域が締付けディスク１の対応する垂直の端縁領域をほとんど遊びなしで包囲する。
【００２３】
締付けディスク１の固定ボルトが十分に緩められて、締付けディスク１がスノーボードに対して然るべき垂直の遊びを得た場合に、締付けディスク側の前歯切りがベースプレート２の円形開口部７の端縁６に設けられた前歯切りから外れるので、ベースプレート２が原理的に任意の回転位置へ移動され、その回転位置はその後締付けディスク１をスノーボードに締付け固定することにより、すなわち固定ボルトをスノーボード側のねじ部分へ螺合することによって、固定される。
【００２４】
ベースプレート２の上側は、シューズ（図示せず）のための載置面を形成する。この載置面はその長手側において垂直のウェブ８により区切られている。
【００２５】
ソールプレート３は、ベースプレート２の下方に配置されて、ベースプレート２によって間接的にスノーボードに摩擦的および相補形状で固定される。この目的のために、ベースプレート２の下側において円形開口部７に形成されているリングウェブが楕円開口部９内へ突出し、その楕円開口部の短い直径はリングウェブの外径に相当し、その長い直径はリングウェブの外径よりも大きい。長い直径の方向において、ソールプレート３の上側に楕円開口部９の前および／または後ろに、複数の相前後して配置された横溝を有するワッフルプロフィール１０が配置されている。このワッフルプロフィールは、ビンディングが取り付けられた状態において、ベースプレート２の下側の、ベースプレートの長手方向において円形開口部７の前および／または後ろに設けられた同様なワッフルプロフィール内へ嵌入する。それによってソールプレート３が互いに噛合するワッフルプロフィールによってベースプレート２の長手方向に固定される。その他、ワッフルプロフィールおよび、ベースプレート２の下側においてその円形開口部７に配置されたリングウェブがソールプレート３の楕円開口部９内へ嵌入することによって、ソールプレート３がベースプレート２に対して横方向においても相補形状により固定されることがもたらされる。さらに、締付けディスク１がスノーボード上側に対して締め付けられる場合に、ソールプレート３はスノーボードの上側とベースプレート２の下側との間で、摩擦結合によっても固定される。
【００２６】
ヒールクランプ４は、ソールプレート３に一体的に形成されており、その場合にヒールクランプ４の側方部分がソールプレート３の側面１１へ一体的に移行している。この側面１１は、側面１１の内側とベースプレート３のウェブ８の外側との間に、少なくともウェブ８の後方の半分の領域においてスリットが残るように、形成され、ないしは配置されている。このスリットの領域において、ヒールクランプ４の側方部分の内側に長穴状の切欠き１２が配置されている。
【００２７】
脹ら脛サポート５は、図２と図３に示すように、下方の張出し１３を有しており、その張出しが脹ら脛サポート５と共にＵ字状のプロフィールを形成する。張出し１３は、その端部に外側のピン１４を有している。ビンディングが取り付けられた状態において、このピンが長穴状の切欠き１２内へ嵌入し、その場合に切欠き１２からのピン１４の抜落ちは、張出し１３の端部がベースプレート２のウェブ８と脹ら脛サポート５の側方部分との間のスリット内に、ピン１４の軸の方向へ移動しないようにしっかりと保持されることによって、防止される。
【００２８】
脹ら脛サポート５の外側において、ヒールクランプ４の中央部分の領域に水平のリブが形成されており、そのリブが、図２に示すように、ヒールクランプ４の中央部分の、脹ら脛サポート５へ向いた側に設けられた、対応する水平のリブ１５間の水平の凹部内へ嵌り込む。脹ら脛サポート５に配置されたリブは、ヒールクランプ４のリブ１５間の凹部と、締付けボルト配置１６によって係合状態に保持され、その締付けボルト配置は脹ら脛サポート５の垂直スリット１７とヒールクランプ４の水平スリット１８を貫通している。締付けボルト配置１６は、好ましくは、締め付けられた状態において、リブと凹部間に取り立てて言うほどの摩擦結合をもたらすことなしに、脹ら脛サポート５に設けられたリブをヒールクランプ４のリブ１５の間の凹部内へ単に係合させるように、形成されている。それによって脹ら脛サポート５はヒールクランプ４に対して側方へ移動できるままであり、脹ら脛の適当な側方移動を行うことができる。というのは脹ら脛サポート５の張出しの端部１３に設けられたピン１４が切欠き１２内で水平方向に摺動できるからである。
【００２９】
締付けボルト配置１６が緩められた場合に、脹ら脛サポート５をヒールクランプ４に接して垂直に変位させるために、脹ら脛サポート５のリブをヒールクランプ４のリブ１５の間の凹部から引き出すことができ、その場合に脹ら脛サポート５の傾斜が変化する。その後、締付けボルト配置１６を新たに締め付けることによって、脹ら脛サポート５を新しい位置に、すなわち変更された傾斜で、固定することができるが、その場合に脹ら脛サポート５が側方に移動できることは、可能なままである。
【００３０】
従って本発明によれば、側方に移動可能であり続ける脹ら脛サポート５の傾斜調節が可能になる。
【００３１】
締付けボルト配置が然るべく形成されている場合には、ヒールクランプと脹ら脛サポート５の間で脹ら脛サポート５の側方移動可能性を結合する摩擦結合を得ることもできる。
【００３２】
シューズのつま先領域の回りを締め付けるベルト１９の部分を、図５に示すように、それぞれループ２０によってベースプレート２の下側に係止し、あるいは固定することができる。ループ２０のひもは、スリット２１を通してベースプレート２の下側から上側へ、そしてそれに伴ってベルト１９の部分へ案内される。スリット２１には、複数の横スリット形状の切欠き２２が形成されており、その中へループ２０のひもが挿入される。その結果、ループ２０のひもはいつでも、ループ２０を緩めることなしに、ベースプレート２の下側におけるその係止をスノーボードの長手方向に調節し、ないしは変位させることができるので、それに応じて変更された方向をもってベルト１９の締付けがシューズないし足に作用する。
【００３３】
図７に示す変形された実施形態において、ベルト１９は変形された終端部分１２０へ続いており、その終端部分の端部にたとえばボタン形状の成形片１２１が配置され、ないしは形成されている。この成形片１２１は、ベースプレート２の切欠き１２２の然るべく形成された、たとえば３つの、膨出部内へ相補形状で挿入して、そこに係止することができる。このようにして、一方では、ベルト１９の有効長さが変化する。他方では、ベルト１９を有する終端部分１２０をスノーボードビンディングの長手方向に延長することができる。
【００３４】
ベルト１９とそのループ２０ないしその終端部分１２０は、ベースプレート２の上側においてベースプレート２の側方ウェブ８の内側に延びているので、図４に矢印で示すように、ベルト１９はシューズ側に良好に添接することができる。
【００３５】
シューズの締付け領域を覆うベルト２３の部分を保持するために、図６に示すように、ヒールクランプ４の側方部分にループ２４が配置されており、そのループにベルト２３の部分が摺動可能に取り付けられている。その場合にループ２４はベルト２３が摺動する場合に、それぞれ摺動位置に応じて、様々な長さのＶ字片を有する。これは、ベルト２３の部分の係止が水平および垂直方向において様々な位置をとることができ、かつベルト２３からシューズないし足へもたらされる圧力がそれに応じて変化できるのと、同じことを意味する。
【００３６】
ベルト１９および／または２３は、クランプ形状の部分に代えることもできる。
【図面の簡単な説明】
【００３７】
【図１】本発明に基づくスノーボードビンディングの斜視図であって、その場合に示されていないシューズを把持するベルトないしクランプは示されていない。
【図２】このビンディングの分解斜視図である。
【図３】ヒールクランプの側方部分と脹ら脛サポートの張出しを示す垂直断面図である。
【図４】つま先上に張り渡されたベルトの領域においてベースプレートを示す断面図である。
【図５】ベースプレートにおけるベルトの固定を示す斜視図である。
【図６】ヒールクランプの側方部分に、シューズの締付け領域を包囲するベルトを固定することを示している。
【図７】ベースプレートにおける、つま先のために設けられたベルトの、図５とは異なる固定を示している。
【図１】
0004474616.tif 000002
【図２】
0004474616.tif 000003
【図３】
0004474616.tif 000004
【図４】
0004474616.tif 000005
【図５】
0004474616.tif 000006
【図６】
0004474616.tif 000007
【図７】
0004474616.tif 000008